(57)【要約】【課題】本発明は、溶融樹脂がダイス表面から押し出される前に、カッタ刃によってダイス表面の清掃を行い、円滑運転及び効率向上を目的とする。【解決手段】本発明による押出機カッティング面付着樹脂の除去方法は、溶融樹脂がダイス表面(4)から押し出される前に、回転させたカッタ刃(8)をダイス表面(4)に対して押し付け及び引き離し動作を繰り返すことにより、前記ダイス表面(4)に堆積している溶融樹脂を除去する方法である。【選択図】図２
2010030091.tif 000002
【特許請求の範囲】
【請求項１】
押出機(1)のシリンダ(2)の先端の造粒ダイス(3)のダイス表面(4)に対して接離されるカッティング装置(5)のカッタ刃(8)を用い溶融樹脂が前記ダイス表面(4)から押し出される前に、前記カッティング装置(5)のカッタ刃(8)を回転させた状態で前記ダイス表面(4)に対して、押し付け及び引き離し動作を繰り返すことにより、前記ダイス表面(4)に堆積している少なくとも溶融樹脂を除去することを特徴とする押出機カッティング面付着樹脂の除去方法。
【請求項２】
前記堆積樹脂の除去の成否は、前記カッタ刃の位置を検出する位置検出装置からの検出信号に基づくことを特徴とする請求項１記載の押出機カッティング面付着樹脂の除去方法。
【発明の詳細な説明】
【技術分野】
【０００１】
本発明は、押出機カッティング面付着樹脂の除去方法に関し、特に、溶融樹脂がダイス表面から押し出される前にダイス表面の清掃を行うための新規な改良に関する。
【背景技術】
【０００２】
一般に、合成装置により生産された合成樹脂原料は、通常、原料の揮発成分除去、品質改善あるいは均質化等を目的として、回転駆動されるスクリュを内挿したシリンダを主要構成部とするスクリュ式押出機（以下において、「押出機」と略して記述する。）により溶融混練される。この溶融混練された合成樹脂原料は、その後の原材料としての取扱いを容易にするために、ペレットに造粒される。すなわち、シリンダの先端に造粒ダイスが設けられた押出機およびシリンダの先端に造粒ダイスを介して連結されたカッティング装置において、高温溶融状態の合成樹脂原料が、造粒ダイスのダイス孔からカッティング装置の冷却を兼ねた搬送水中へ紐（ストランド）状に押出され、直ちに冷却固化され、造粒ダイスの表面に沿って摺動回転するカッタ刃により短く切断され、ペレットに造粒される。
【０００３】
前述の押出機及びカッティング装置は、後述の特許文献１に開示されているように、例えば、簡略化して示す図２のように構成されている。
すなわち、図２において符号１で示されるものは、押出機であり、この押出機１のシリンダ２の先端に設けられた造粒ダイス３のカッティング面であるダイス表面４側には、この造粒ダイス３を介してカッティング装置５が装着されている。
【０００４】
前記カッティング装置５は、モータ６、回転軸７、カッタ刃８、搬送水路９及び位置検出装置１０から主として構成されており、このカッタ刃８は回転しつつ矢印Ａの方向に沿って前後進し、カッタ刃８がダイス表面４に対して押し付け及び切り離し（すなわち、ダイス表面４に対して接離自在）動作を繰り返すことができるように構成されている。
【０００５】
前述の押出機１とカッティング装置５を用いて造粒を行う場合、溶融樹脂のカッティング動作を行う前は、カッティング装置５は押出機１から切り離された状態で、押出機１のシリンダ２内には原料である樹脂が溶融混練され、溶融混練が完了後に、カッティング装置５が造粒ダイス３側に連結され、造粒ダイス３から搬送水路９内にストランドが供給されると共に、カッタ刃８により所定長さに切断されてペレット化される。
【０００６】
また、後述の特許文献１に開示されている造粒方法においては、運転開始前における搬送水の循環供給開始と押出機の運転開始とのタイミング調整のための待機中に、冷却用の流体を造粒ダイスの表面に吹きつけて造粒ダイスの各ダイス孔より溶融状態の合成樹脂原料が流れ出ないように溶融樹脂原料の粘度を高くし、運転開始後は、各ダイス孔の目詰りを防止するための加熱用の流体を造粒ダイスの表面に吹きつける造粒方法が示されている。
【０００７】
【特許文献１】特開２００５−２９７２２７号公報
【発明の開示】
【発明が解決しようとする課題】
【０００８】
従来の押出機及びカッティング装置を用いた造粒方法は、以上のように構成されていたため、次のような課題が存在していた。
すなわち、カッティング装置によるカッティング運転前においては、押出機からカッティング装置が切り離されていると共に、押出機のシリンダ内に、原料の樹脂が溶融混練した状態で保たれているため、ダイス表面のダイス孔からは溶融樹脂がストランド状に垂れ下がる又はダイス表面に付着することになり、作業者がこれらの樹脂を除去した後でなければカッティング装置を押出機に連結することができなかった。
また、前述のダイス表面からの付着樹脂等の除去は、作業者にとっては大きい労力の負担となり、造粒工程における作業効率向上への大きい障害となっていた。
また、前述の特許文献１の造粒方法のように、運転開始前に、冷却用の流体をダイス表面に吹きつけ、運転開始後は加熱用の流体をダイス表面に吹きつけるためには、冷却水と加熱水の２系統の水路及び供給ノズル等を設けなければならず、構造が複雑で大型化すると共に、高さコストとなっていた。
【課題を解決するための手段】
【０００９】
本発明による押出機カッティング面付着樹脂の除去方法は、押出機のシリンダの先端の造粒ダイスのダイス表面に対して接離されるカッティング装置のカッタ刃を用い溶融樹脂が前記ダイス表面から押し出される前に、前記カッティング装置のカッタ刃を回転させた状態で前記ダイス表面に対して、押し付け及び引き離し動作を繰り返すことにより、前記ダイス表面に堆積している少なくとも溶融樹脂を除去する方法であり、また、前記堆積樹脂の除去の成否は、前記カッタ刃の位置を検出する位置検出装置からの検出信号に基づく方法である。
【発明の効果】
【００１０】
本発明による押出機カッティング面付着樹脂の除去方法は、以上のように構成されているため、次のような効果を得ることができる。
すなわち、押出機のシリンダの先端の造粒ダイスのダイス表面に対して接離されるカッティング装置のカッタ刃を用い溶融樹脂が前記ダイス表面から押し出される前に、前記カッティング装置のカッタ刃を回転させた状態で前記ダイス表面に対して、押し付け及び引き離し動作を繰り返すことにより、前記ダイス表面に堆積している少なくとも溶融樹脂を除去するため、造粒運転前にダイス表面は完全に清掃され、造粒運転が大幅に簡略化され、運転の失敗をなくし、プラントの省力化、生産効率の向上を得ることができる。
また、前記堆積樹脂の除去の成否は、前記カッタ刃の位置を検出する位置検出装置からの検出信号に基づいているため、カッタ刃の位置、すなわち、ダイス表面の清掃の完了を自動的にかつ正確に検出することができる。
【発明を実施するための最良の形態】
【００１１】
本発明は、溶融樹脂がダイス表面から押し出される前にカッタ刃でダイス表面の清掃を行うようにした押出機カッティング面付着樹脂の除去方法を提供することを目的とする。
【実施例】
【００１２】
以下、図面と共に本発明による押出機カッティング面付着樹脂の除去方法の好適な実施の形態について説明する。
尚、従来例として説明した図２の構成は、本発明と同一であるので、図２の構成を本発明の構成に援用するものとする。
図１は、前述の図２の押出機１及びカッティング装置５を用いて造粒ダイス３のカッティング面であるダイス表面４に付着した樹脂等を除去する場合について述べる。
【００１３】
図１において、合成樹脂原料を溶融混練し、ペレットに造粒するための押出機１の運転開始前の時点で、シリンダ２の先端に造粒ダイス３が設けられた押出機１及びカッティング装置５が互いに離された状態で待機状態にある。すなわち、押出機１では、シリンダ２内の先端部及び造粒ダイス３のダイス孔（図示せず）に溶融状態の合成樹脂が充満し樹脂がダイス表面４に付着もしくは垂れ下がっている状態にある（第１ステップ：１００）。
【００１４】
運転開始に当たり、待機している前記カッティング装置５を移動させ、前記シリンダ２の先端に設けられた前記造粒ダイス３を介して前記押出機１に連結する（第２ステップ：１０１）。
次に、前記カッティング装置５において、先端部に前記カッタ刃８を保持する前記回転軸７のモータ６を起動させ、待機位置にあるカッタ刃８を所定回転数で回転駆動し、押出機１の原料供給機（図示せず）の運転開始、カッティング装置５へのペレット搬送用の搬送水９Ａの供給開からなる運転開始（第３ステップ：１０２）となる。
【００１５】
前記シリンダ２から溶融樹脂が造粒ダイス３のダイス孔（図示せず）に到達してダイス表面４から押し出される前に、回転しているカッタ刃８をダイス表面４に押し付け及び引き離し動作を繰り返し行い、ダイス表面４に堆積している少なくとも溶融樹脂（溶融樹脂以外のゴミ等も含む）を除去する（第４ステップ：１０３）。
【００１６】
前述のダイス表面４における付着樹脂等の除去が完了したか否かは、前記位置検出装置１０によってカッタ刃８が前進してダイス表面４に接触した時又は非接触の位置を検出する（第５ステップ：１０４）ことによって判別することができる。
【００１７】
前述の第５ステップ：１０４における判別において、カッタ刃８がダイス表面４に非接触の場合（第６ステップ：１０５）、前記第４ステップ：１０３に戻って再び付着樹脂の除去動作が行われる。
【００１８】
さらに、前記カッタ刃８がダイス表面４に接触の場合（第７ステップ：１０６）、前述のダイス表面４に対するカッタ刃８の接触による付着樹脂の除去動作が終了すると共に、押出機１とカッティング装置５の定常の造粒動作が継続される（第８ステップ：１０７）。
尚、ダイス表面４に付着していた付着樹脂及び押出機１の運転開始直後のペレットは、ペレット搬送先の図示しない篩い分け機、あるいは、搬送途中の切換え弁（図示せず）等により、規格外のオフ品として系外へ排出処理される。
【図面の簡単な説明】
【００１９】
【図１】本発明による押出機カッティング面付着樹脂の除去方法を示すフロー図である。
【図２】本発明及び従来の押出機及びカッティング装置を示す構成図である。
【符号の説明】
【００２０】
１    押出機
２    シリンダ
３    造粒ダイス
４    ダイス表面（カッティング面）
５    カッティング装置
６    モータ
７    回転軸
８    カッタ刃
９Ａ    搬送水
１０    位置検出装置
【図１】
2010030091.tif 000003
【図２】
2010030091.tif 000004